(57)【要約】【課題】電源プラグをコンセントに差し込んだ状態のままで、コンセントの操作に拘らず、簡単な操作によって電源回路への給電を遮断する電気機器を提供する。【解決手段】電気機器は、運転状態を制御する本体制御部４及び外部電源から電源プラグ１を介して与えられる電力を使用して本体制御部４へ給電する電源回路３を有する空気調和機本体１００と、空気調和機本体１００の運転状態を遠隔操作によって指示する遠隔操作部２００とを備える。遠隔操作部２００は空気調和機本体１００への給電の遮断を本体制御部４へ指示する遮断指示手段を有し、該遮断指示手段によって前記遮断が指示された場合に本体制御部４によってオフされるスイッチ２ａ、２ａを電源プラグ１と電源回路３との間に備える。【選択図】図１
2007189843.tif 000002
【特許請求の範囲】
【請求項１】
運転状態を制御する制御部及び外部電源から電源プラグを介して与えられる電力を使用して前記制御部へ給電する電源回路を有する電気機器本体と、該電気機器本体の運転状態を遠隔操作によって指示する遠隔操作部とを備える電気機器において、
前記遠隔操作部は前記電気機器本体への給電の遮断を前記制御部へ指示する遮断指示手段を有し、該遮断指示手段によって前記遮断が指示された場合に前記制御部によってオフされるスイッチを前記電源プラグと前記電源回路との間に備えることを特徴とする電気機器。
【請求項２】
前記遠隔操作部は前記電気機器本体への給電を指示する給電指示手段を有し、前記給電指示手段によって前記給電が指示された場合に前記制御部が前記スイッチをオンするようにしていることを特徴とする請求項１に記載の電気機器。
【請求項３】
前記スイッチがオフされているときに前記制御部へ給電する電池が設けられていることを特徴とする請求項２に記載の電気機器。
【請求項４】
前記制御部は、前記電気機器本体内で前記電源回路及び前記制御部のみ電力を消費する状態としてから所定の時間経過した場合に前記スイッチをオフするようにしていることを特徴とする請求項１乃至請求項３の何れかひとつに記載の電気機器。
【請求項５】
前記遠隔操作部は前記遠隔操作に基づく信号を無線によって送信する送信部を有し、前記電気機器本体は前記送信部から送信された信号を受信して制御部へ与える受信部を有することを特徴とする請求項１乃至請求項４の何れかひとつに記載の電気機器。
【請求項６】
前記遠隔操作部は前記遠隔操作に基づく信号をネットワークを介して前記制御部へ送信するように構成していることを特徴とする請求項１乃至請求項５の何れかひとつに記載の電気機器。
【請求項７】
空気状態を調節する空気調和部、運転状態を制御する制御部及び外部電源から電源プラグを介して与えられる電力を使用して前記制御部へ給電する電源回路を有する空気調和機本体と、該空気調和機本体の運転状態を遠隔操作によって指示する遠隔操作部とを備える空気調和機において、
前記遠隔操作部は前記空気調和機本体への給電の遮断を前記制御部へ指示する遮断指示手段を有し、該遮断指示手段によって前記遮断が指示された場合に前記制御部によってオフされるスイッチを前記電源プラグと前記電源回路との間に備えることを特徴とする空気調和機。
【発明の詳細な説明】
【技術分野】
【０００１】
本発明は遠隔操作によって運転状態を制御する電気機器及び空気調和機に関し、特に消費電力の低減及び安全性の向上を図った電気機器及び空気調和機に関する。
【背景技術】
【０００２】
空気調和機などの電気機器には電力の消費を完全に遮断する手段が設けられていないものがある。電力の消費を完全に遮断する手段が設けられていない電気機器では、電源プラグをコンセントに差し込んでいるとき、遠隔操作部からの信号を待ち受けるために通電されている回路部分がある。
【０００３】
電力の消費を完全に遮断する手段が設けられていない電気機器では、待機状態となっているときにも通電部分があるので、清掃を行うときに感電の危険がある。
【０００４】
そのため、電気機器を使用しないときには、電源プラグをコンセントから抜いて電力の消費を完全に遮断することが行われているが、不使用となる都度電源プラグをコンセントから抜くのは、面倒である。特に、空気調和機は天井付近に設置される場合が多く、天井に設けられているコンセントを使用するときには、電源プラグを抜くのは面倒である。
【０００５】
通電回路部分への給電を遮断することを目的としている特許文献１に記載された装置は、電気機器及びコンセントの間に別付けで設けられるものであり、リレーを有し、電気機器が待機状態となっていることを消費電力が基準値より低いことに基づいて検知したときに、予め設定されている時間経過後にリレーをオフして給電を遮断するようになっている。
【特許文献１】特開２０００−１５２４９９号公報
【発明の開示】
【発明が解決しようとする課題】
【０００６】
特許文献１の装置では、給電の遮断後、電気機器を使用するときボタンを押してリレーをオンする。コンセントは床又は天井にある場合、必然的に操作しにくい。
【０００７】
本発明は、このような問題を解決するものであり、運転状態を制御する制御部へ外部電源から電源プラグを介して与えられる電力を使用して給電する電源回路と電源プラグとの間にスイッチを介挿し、遠隔操作部の遮断指示手段によって遮断が指示されたときにスイッチをオフするように構成することにより、電源プラグをコンセントに差し込んだ状態のままで、コンセントの操作に拘らず、簡単な操作によって電源回路への給電を遮断する電気機器を提供することを目的とする。
【０００８】
また、本発明は、遠隔操作部に給電指示手段を設けて給電が指示されたときにスイッチをオンするように構成することにより、電源プラグをコンセントに差し込んだ状態で、簡単な操作によって電源回路へ給電をする電気機器を提供することを目的とする。
【０００９】
また、本発明は、スイッチがオフしているとき制御部へ給電するための電池を設けることにより、制御部が給電の指示を受け付ける電気機器を提供することを目的とする。
【００１０】
また、本発明は、電気機器本体内で電源回路及び制御部のみ電力を消費する状態としてから所定の時間経過した場合に、制御部はスイッチをオフするように構成することにより、電気機器本体が長期間待機状態である場合に電力の消費が削減される電気機器を提供することを目的とする。
【００１１】
また、本発明は、遠隔操作部から遠隔操作に基づく信号が電気機器本体へ無線で送信され、電気機器本体は送信された信号を受信して制御部へ与えるように構成することにより、使用者が操作しやすい場所で給電又は給電の遮断を指示することができる電気機器を提供することを目的とする。
【００１２】
また、本発明は、遠隔操作部から遠隔操作に基づく信号をネットワークを介して制御部へ送信するように構成することにより、電気機器本体への給電の遮断指示を操作しやすい場所で行うことができる電気機器を提供することを目的とする。
【００１３】
また、本発明は、空気調和機本体の運転状態を制御する制御部へ給電する電源回路と電源プラグとの間にスイッチを介挿し、遠隔操作部の遮断指示手段によって遮断が指示された場合にスイッチをオフするように構成することにより、電源プラグを抜く必要がなく、簡単な操作によって電源回路への給電を遮断する空気調和機を提供することを目的とする。
【課題を解決するための手段】
【００１４】
本発明に係る電気機器は、運転状態を制御する制御部及び外部電源から電源プラグを介して与えられる電力を使用して前記制御部へ給電する電源回路を有する電気機器本体と、該電気機器本体の運転状態を遠隔操作によって指示する遠隔操作部とを備える電気機器において、前記遠隔操作部は前記電気機器本体への給電の遮断を前記制御部へ指示する遮断指示手段を有し、該遮断指示手段によって前記遮断が指示された場合に前記制御部によってオフされるスイッチを前記電源プラグと前記電源回路との間に備えることを特徴とする。
【００１５】
本発明では、遮断指示手段で給電の遮断が指示されたとき、制御部は電源プラグと電源回路との間に介挿されているスイッチをオフし、電源回路への給電を遮断する。
また、本発明に係る電気機器は、前記遠隔操作部は前記電気機器本体への給電を指示する給電指示手段を有し、前記給電指示手段によって前記給電が指示された場合に前記制御部が前記スイッチをオンするようにしていることを特徴とする。
【００１６】
本発明では、給電指示手段で給電が指示されたとき、制御部はスイッチをオンして電源回路へ給電する。
【００１７】
また、本発明に係る電気機器は、前記スイッチがオフされているときに前記制御部へ給電する電池が設けられていることを特徴とする。
【００１８】
本発明では、電源回路から制御部への給電が遮断されているとき、電池から制御部へ給電が行われ、制御部は給電指示手段からの指示を受け付ける。
【００１９】
また、本発明に係る電気機器は、前記制御部は、前記電気機器本体内で前記電源回路及び前記制御部のみ電力を消費する状態としてから所定の時間経過した場合に前記スイッチをオフするようにしていることを特徴とする。
【００２０】
本発明では、制御部は、電気機器本体内で電源回路及び制御部のみ電力を消費する状態としてから所定の時間経過した場合にスイッチをオフして電源回路への給電を遮断する。
【００２１】
また、本発明に係る電気機器は、前記遠隔操作部は前記遠隔操作に基づく信号を無線によって送信する送信部を有し、前記電気機器本体は前記送信部から送信された信号を受信して制御部へ与える受信部を有することを特徴とする
【００２２】
本発明では、遠隔操作に基づく信号は、遠隔操作部の送信部から無線によって送信され、送信された信号は、電気機器本体の受信部で受信され、制御部へ与えられる。これにより使用者は給電の遮断の指示を操作しやすい場所で行うことができる。
【００２３】
また、本発明に係る電気機器は、前記遠隔操作部は前記遠隔操作に基づく信号をネットワークを介して前記制御部へ送信するように構成していることを特徴とする。
【００２４】
本発明では、遠隔操作に基づく信号は、遠隔操作部からネットワークを介して制御部へ送信されるので、使用者は給電の遮断の指示を操作しやすい場所で行うことができる。
【００２５】
また、本発明に係る空気調和機は、空気状態を調節する空気調和部、運転状態を制御する制御部及び外部電源から電源プラグを介して与えられる電力を使用して前記制御部へ給電する電源回路を有する空気調和機本体と、該空気調和機本体の運転状態を遠隔操作によって指示する遠隔操作部とを備える空気調和機において、前記遠隔操作部は前記空気調和機本体への給電の遮断を前記制御部へ指示する遮断指示手段を有し、該遮断指示手段によって前記遮断が指示された場合に前記制御部によってオフされるスイッチを前記電源プラグと前記電源回路との間に備えることを特徴とする。
【００２６】
本発明では、空気調和機本体は、遠隔操作部の遮断指示手段から給電の遮断が指示されたとき、空気調和機本体の運転状態を制御する制御部は電源プラグと電源回路との間に介挿されているスイッチをオフし、電源回路への給電を遮断する。
【発明の効果】
【００２７】
本発明では、遮断指示手段で給電の遮断が指示された場合、制御部が電源プラグと電源回路との間に介挿されているスイッチをオフして電源回路への給電を遮断する。したがって、電気機器本体を使用しないとき、給電の遮断を行うことにより電力の消費が削減される。また、給電の遮断により、電気機器の清掃をするときに感電の危険が低下する。また、別付け部品を取り付けて操作する必要がなく、遠隔操作部で給電の遮断を指示することができるので、操作しやすく便利である。
【００２８】
また、本発明では、給電指示手段で給電が指示された場合、制御部がスイッチをオンして電源回路への給電を行う。したがって、電源プラグの抜き差しを行わなくても、簡単に給電及び給電の遮断ができる。
【００２９】
また、本発明では、制御部へ給電する電池が設けられているので、電気機器本体への給電が遮断されている場合、制御部は電池から給電を受けて遠隔操作部からの指示を受け付ける。給電指示手段で給電が指示されたとき、制御部はスイッチをオンして電源回路への給電を行う。
【００３０】
また、本発明では、電気機器本体内で電源回路及び制御部のみ電力を消費する状態としてから所定の時間経過した場合に、制御部はスイッチをオフする。所定の時間、電気機器に対する運転開始の指示などがない場合、所定の時間経過後も電気機器に対して長期間運転開始の指示などがなされないことが予想され、電源回路への給電を遮断することにより、消費電力を削減し、感電の危険性を低下させる。
【００３１】
また、本発明では、遠隔操作部での指示に基づく信号は送信部から電気機器本体の受信部へ向けて無線で送信されるので、遠隔操作部での遠隔操作を操作しやすい場所で行うことができる。
【００３２】
また、本発明では、遠隔操作部での指示に基づく信号はネットワークを介して制御部へ送信されるので、遠隔操作部での操作を操作しやすい場所で行うことができる。また、ネットワークに接続されている他の電気機器の制御も遠隔操作部で入力操作することができるので便利である。
【００３３】
本発明では、遮断指示手段で給電の遮断が指示された場合、空気調和機本体の運転状態を制御する制御部が電源プラグと電源回路との間に介挿されているスイッチをオフして電源回路への給電を遮断する。したがって、空気調和機本体を使用しないとき、給電の遮断を指示することにより電力の消費が削減される。また、給電の遮断により、空気調和機本体の清掃をするときに電源プラグとスイッチの間に注意すればよいので、感電の危険が低下する。また、遠隔操作部で給電の遮断を指示することができるので、操作しやすく便利である。
【発明を実施するための最良の形態】
【００３４】
以下、本発明の実施の形態について図面に基づいて説明する。図１は本発明に係る空気調和機のブロック図である。
【００３５】
空気調和機は空気調和機本体１００、遠隔操作部２００及びキー入力操作部３００を備える。家屋の天井付近に設置される空気調和機本体１００は空気調和機本体１００と別体となっている遠隔操作部２００の送信部２２（図２参照）からの光信号１０を受信部８で受信する。
【００３６】
空気調和機本体１００は家屋内において空気調和機本体１００と別場所に設置されるキー入力操作部３００からの信号をネットワーク１２を通して入力部６で受信する。ネットワーク１２は電灯線及び短距離無線を利用する家庭内ネットワークである。
【００３７】
電源プラグ１と電源回路３とは電源線でそれぞれリレー２のスイッチ２ａ、２ａを介して接続されている。空気調和部５はスイッチ２ａ、２ａと電源回路３との間に接続されている。
【００３８】
電源回路３は、電源プラグ１より与えられる交流電圧を降圧する変圧器３ａと、変圧器３ａで降圧された交流を全波整流して出力するブリッジ回路３ｂとを有する。電源回路３の出力側は補助電池７及び本体制御部４に接続されている。補助電池７の陽極はマイクロプロセッサを用いた本体制御部４及びＮＰＮ形のトランジスタ１１のコレクタに接続されている。補助電池７の陰極は本体制御部４及びリレー２のコイル２Ｃの一端に接続されている。本体制御部４のリレー２制御用の出力端子Ｔはトランジスタ１１のベースに接続されている。トランジスタ１１のエミッタはコイル２Ｃの他端に接続されている。
【００３９】
本体制御部４の出力端子Ｔの電圧をハイレベル／ローレベルとしたとき、トランジスタ１１のオン／オフによりコイル２Ｃは励磁／非励磁となり、スイッチ２ａ、２ａはオン／オフとなる。
【００４０】
本体制御部４の電源回路３から給電されて作動する。補助電池７は電源回路３によって充電される。スイッチ２ａ、２ａがオフとなって電源回路３から本体制御部４へ給電されないときに、補助電池７は本体制御部４へ給電する。
【００４１】
入力部６はネットワーク１２から与えられる信号を受信し、本体制御部４へ与える。受信部８は遠隔操作部２００から送信される光信号１０を受信し、光信号１０に対応する電気信号を本体制御部４へ与える。本体制御部４は入力部６又は受信部８から与えられる信号に基づいてスイッチ２ａ、２ａのオン／オフ及び空気調和部５の運転状態を制御する。
【００４２】
空気調和部５は、スイッチ２ａ、２ａがオンしているときに電源プラグ１を通して給電
され、本体制御部４の制御により暖房、冷房、除湿などの運転をする。
【００４３】
遠隔操作部２００は、各種ボタン３２〜３８（図３参照）を備え、ボタン操作の指示に基づく信号を光信号１０として空気調和機本体１００の受信部８へ向けて送信する。
【００４４】
キー入力操作部３００は、空気調和機本体１００及び遠隔操作部２００とは別に設けられ、遠隔操作部２００と同等の機能を有する。キー操作の指示に基づく信号をネットワーク１２を通して空気調和機本体１００の入力部６へ送信する。
【００４５】
図２は遠隔操作部２００のブロック図、図３は遠隔操作部２００のレイアウト図である。遠隔操作部２００は各種ボタン３２〜３８を有し、ボタン操作による指示を遠隔操作制御部２３へ与える入力部２１と、遠隔操作制御部２３から与えられる信号を発光部が発光して赤外線又は可視光線の光信号として受信部８へ向けて送信する送信部２２と、遠隔操作制御部２３から与えられる情報を記憶するメモリ２４と、遠隔操作制御部２３から与えられる信号に基づいて画面表示を行う表示部２５とを備える。
【００４６】
表示部２５は、設定湿度、設定温度、自動、暖房、冷房、除湿などの運転状態の画面表示を行う。入力部２１は、自動運転開始ボタン３２と、暖房運転開始ボタン３３と、冷房運転開始ボタン３４と、除湿運転開始ボタン３５と、運転停止ボタン３６と、湿度の設定を変更する湿度設定ボタン３７と、温度の設定を変更する温度設定ボタン３８とを有する。
【００４７】
運転開始ボタン３２〜３５が操作されたとき、遠隔操作制御部２３は送信部２２へ給電信号及び自動運転開始信号／暖房運転開始信号／冷房運転開始信号／除湿運転開始信号を与える。
【００４８】
運転停止ボタン３６が操作されたとき、遠隔操作制御部２３は送信部２２へ停止信号を与える。さらに運転停止ボタン３６が長押し操作された場合には、遠隔操作制御部２３は給電遮断信号を送信部２２へ与える。
【００４９】
湿度設定ボタン３７は設定湿度の数値の上昇及び下降を操作するようになっている。湿度設定ボタン３７が操作されたとき、遠隔操作制御部２３は送信部２２へ設定湿度信号を与える。遠隔操作制御部２３は設定湿度をメモリ２４へ与え、メモリ２４に記憶させる。
【００５０】
温度設定ボタン３８は設定温度の数値の上昇及び下降を操作するようになっている。温度設定ボタン３８が操作されたとき、遠隔操作制御部２３は送信部２２へ設定温度信号を与える。遠隔操作制御部２３は設定温度をメモリ２４へ与え、メモリ２４に記憶させる。
【００５１】
図４は本体制御部４の給電信号受信時の処理を示すフローチャートである。まず本体制御部４は給電信号を受信しているか否かを判断する（Ｓ１１）。給電信号を受信していないとき（Ｓ１１でＮＯ）、本体制御部４はステップＳ１１の判断を繰り返す。給電信号を受信しているとき（Ｓ１１でＹＥＳ）、本体制御部４は出力端子Ｔの電圧をハイレベルとし（Ｓ１２）、処理をリターンする。これにより、トランジスタ１１がオンしてコイル２Ｃは励磁となり、スイッチ２ａ、２ａはオンとなる。
【００５２】
図５は本体制御部４の停止信号及び給電遮断信号受信時の処理を示すフローチャートである。まず本体制御部４は停止信号を受信しているか否かを判断する（Ｓ１３）。停止信号を受信したとき（Ｓ１３でＹＥＳ）、本体制御部４は空気調和部５での運転を停止する（Ｓ１６）。これにより、空気調和部５で電力が消費されず、空気調和機本体１００は電源回路３及び本体制御部４のみ電力が消費される待機状態となる。次に、本体制御部４はタイマーを始動し（Ｓ１７）、処理をリターンする。
【００５３】
ステップＳ１３において、停止信号を受信していないとき（Ｓ１３でＮＯ）、本体制御部４は給電遮断信号を受信しているか否かを判断する（Ｓ１４）。給電遮断信号を受信したとき（Ｓ１４でＹＥＳ）、本体制御部４はタイマーをリセットし（Ｓ１８）、出力端子Ｔの電圧をローレベルとする（Ｓ１９）。これにより、トランジスタ１１がオフしてコイル２Ｃは非励磁となり、スイッチ２ａ、２ａはオフとなる。
【００５４】
ステップＳ１４において、給電遮断信号を受信していないとき（Ｓ１４でＮＯ）、本体制御部４はタイマーが予め設定されている時間（例えば、１０分）を経過したか否かを判断する（Ｓ１５）。タイマーが設定時間を経過したとき（Ｓ１５でＹＥＳ）、本体制御部４はタイマーをリセットし（Ｓ１８）、出力端子Ｔの電圧をローレベルとする（Ｓ１９）。これにより、トランジスタ１１がオフしてコイル２Ｃは非励磁となり、スイッチ２ａ、２ａはオフとなる。ステップＳ１５において、タイマーが設定時間を経過していないとき（Ｓ１５でＮＯ）、本体制御部４は処理をリターンする。
【００５５】
図６は遠隔操作制御部２３の処理を示すフローチャートである。まず遠隔操作制御部２３は運転開始ボタン３２〜３５の入力操作を受け付けているか否かを判断する（Ｓ２１）。運転開始ボタン３２〜３５の入力操作を受け付けたとき（Ｓ２１でＹＥＳ）、遠隔操作制御部２３は送信部２２へ給電信号及び自動運転開始信号／暖房運転開始信号／冷房運転開始信号／除湿運転開始信号を与え（Ｓ２２）、処理をステップＳ２１へ戻す。これにより、給電信号及び自動運転開始信号／暖房運転開始信号／冷房運転開始信号／除湿運転開始信号は送信部２２より空気調和機本体１００の受信部８へ向けて送信される。
【００５６】
運転開始ボタン３２〜３５の入力操作を受け付けていないとき（Ｓ２１でＮＯ）、遠隔操作制御部２３は運転停止ボタン３６の入力操作を受け付けているか否かを判断する（Ｓ２３）。運転停止ボタン３６の入力操作を受け付けていないとき（Ｓ２３でＮＯ）、遠隔操作制御部２３は他のボタン３７、３８の入力処理を行い（Ｓ２４）、処理をステップＳ２１に戻す。
【００５７】
運転停止ボタン３６の入力操作を受け付けたとき（Ｓ２３でＹＥＳ）、遠隔操作制御部２３は送信部２２へ停止信号を与える（Ｓ２５）。これにより、停止信号は送信部２２より空気調和機本体１００の受信部８へ向けて送信される。
【００５８】
次に、遠隔操作制御部２３はタイマーを始動し（Ｓ２６）、運転停止ボタン３６の入力操作が継続されているか否かを判断する（Ｓ２７）。運転停止ボタン３６の入力操作が継続されていないとき（Ｓ２７でＮＯ）、遠隔操作制御部２３はタイマーをリセットし（Ｓ３０）、処理をステップＳ２１へ戻す。
【００５９】
運転停止ボタン３６の入力操作が継続されているとき（Ｓ２７でＹＥＳ）、遠隔操作制御部２３はタイマーが予め設定されている時間（例えば、３秒）を経過したか否かを判断する（Ｓ２８）。タイマーが設定時間を経過していないとき（Ｓ２８でＮＯ）、遠隔操作制御部２３は処理をステップＳ２７へ戻す。
【００６０】
タイマーが設定時間を経過しているときは（Ｓ２８でＹＥＳ）、遠隔操作制御部２３は送信部２２へ給電遮断信号を送信する（Ｓ２９）。これにより、運転停止ボタン３６が設定時間長押し操作されたとき、給電遮断信号は送信部２２より空気調和機本体１００の受信部８へ向けて送信される。次に、遠隔操作制御部２３はタイマーをリセットし（Ｓ３０）、処理をＳ２１へ戻す。
【００６１】
本実施形態の空気調和機では、自動運転開始ボタン３２、暖房運転開始ボタン３３、冷房運転開始ボタン３４又は除湿運転開始ボタン３５の操作入力によって空気調和部５が各運転方式で運転を開始した後に、運転停止ボタン３６の操作入力により空気調和機本体１００は電源回路３及び本体制御部４のみ電力が消費される待機状態となる。
【００６２】
運転停止ボタン３６の長押し操作又は待機状態となってから予め設定されている時間が経過したときには、本体制御部４は出力端子Ｔの電圧をローレベルとして、電源回路３への給電が遮断される。その後、運転開始ボタン３２〜３５の入力操作によってスイッチ２ａ、２ａがオンし、電源プラグ１を介して電源回路３へ電力が与えられ、空気調和部５が各運転方式で運転を開始する。
【００６３】
キー入力操作部３００は遠隔操作部２００と同等の機能を有する。操作指示によりキー入力操作部３００は自動運転開始信号、暖房運転開始信号、冷房運転開始信号、除湿運転開始信号、停止信号、給電遮断信号、給電信号、設定湿度信号、設定温度信号をネットワーク１２を介して入力部６へ送信する。キー入力操作部３００はネットワーク１２に接続されている各種電気機器を集中的に管理する機能を有する。
【００６４】
空気調和機本体１００が待機状態となったとき、電源回路３への給電が遮断されるので、電力の消費が削減される。また、給電が遮断されることにより、空気調和機を清掃するときに電源プラグ１とスイッチ２ａ、２ａとの間に注意すればよく、感電の危険が低下する。また、遠隔操作部２００又はキー入力操作部３００の入力操作をすることによって、給電又は給電の遮断をすることができるので、操作がしやすくなっている。
【００６５】
なお、本実施形態ではネットワーク１２は家庭内ネットワークとしているが、多数のコンピュータが接続されている大規模ネットワークでもよい。
【００６６】
また、スイッチ２ａ、２ａは接点を機械的にオン／オフするものでなく、半導体スイッチを使用するものでもよい。
【００６７】
本発明は空気調和機に限らず、一般の電気機器に適用でき、待機状態となったときに給電を遮断して消費電力の削減及び安全性を高めることが可能である。
【図面の簡単な説明】
【００６８】
【図１】本発明に係る空気調和機のブロック図である。
【図２】空気調和機の遠隔操作部のブロック図である。
【図３】遠隔操作部のレイアウト図である。
【図４】空気調和機の本体制御部の給電信号受信時の処理を示すフローチャートである。
【図５】空気調和機の本体制御部の停止信号及び給電遮断信号受信時の処理を示すフローチャートである。
【図６】空気調和機の遠隔操作制御部の処理を示すフローチャートである。
【符号の説明】
【００６９】
１    電源プラグ
２    リレー
２ａ    スイッチ
２Ｃ    コイル
３    電源回路
４    本体制御部
５    空気調和部
６    入力部
７    補助電池
８    受信部
１０    光信号
１２    ネットワーク
２１    入力部
２２    送信部
２３    遠隔操作制御部
２４    メモリ
２５    表示部
３６    運転停止ボタン
１００    空気調和機本体
２００    遠隔操作部
３００    キー入力操作部
【図１】
2007189843.tif 000003
【図２】
2007189843.tif 000004
【図３】
2007189843.tif 000005
【図４】
2007189843.tif 000006
【図５】
2007189843.tif 000007
【図６】
2007189843.tif 000008